(57)【特許請求の範囲】
【請求項１】
Ｗｅｂサーバと閲覧端末とに通信可能に接続され、前記Ｗｅｂサーバが管理する複数のＷｅｂページの更新部分を収集して再掲載する再掲載ページを作成する更新部分再掲載装置であって、
コメントまたは投稿メッセージが掲載され、かつ、閲覧端末のユーザによって指定されたＷｅｂページのうち、逐次更新される前記コメントまたは投稿メッセージをその更新時間に基づいて配列して構成する更新部分と、当該更新部分の更新時間とを関連付けて更新情報として記憶する更新情報記憶手段と、
前記Ｗｅｂサーバから前記複数のＷｅｂページそれぞれの更新部分と、当該更新部分の更新時間とを更新情報として逐次収集し、当該更新情報を前記更新情報記憶手段に記憶させる更新情報収集手段と、
所定の再掲載条件に基づいて前記更新情報記憶手段から前記更新情報を逐次抽出し、当該更新情報に含まれる前記更新時間に基づいて、当該更新情報に含まれる前記更新部分の再掲載順序を決定する再掲載順序決定手段と、
前記再掲載順序決定手段が抽出した前記更新情報に含まれる前記更新部分を前記決定した再掲載順序で一のＷｅｂページに配列して集約することにより、当該更新部分が当該再掲載順序で再掲載された再掲載ページを逐次作成する再掲載ページ作成手段と、
前記再掲載ページ作成手段により作成された前記再掲載ページを前記閲覧端末に逐次送信する送信手段と、
を備え、
前記更新情報収集手段は、前記更新時間を前記更新部分の文字列を解析することで取得し、前記更新時間を前記更新部分から取得できなかった場合に、当該更新部分を収集した時間を前記更新時間とする、
更新部分再掲載装置。
【請求項２】
前記再掲載ページ作成手段は、前記Ｗｅｂページのうち前記更新部分とは異なる情報および前記Ｗｅｂページのリンクを前記更新部分に対応付けて前記再掲載ページを作成する
請求項１に記載の更新部分再掲載装置。
【請求項３】
前記閲覧端末から、前記再掲載ページに再掲載させる対象とするＷｅｂページの指定を受け付けて前記所定の再掲載条件として設定する対象ページ指定受付手段を更に備える、
請求項１又は２に記載の更新部分再掲載装置。
【請求項４】
前記更新情報収集手段は、前記複数のＷｅｂページそれぞれに含まれているタグ情報に基づいて、前記複数のＷｅｂページのそれぞれの更新部分を特定する、
請求項１から３のいずれかに記載の更新部分再掲載装置。
【請求項５】
前記更新情報記憶手段に記憶されてから所定時間が経過した更新情報を前記更新情報記憶手段から削除する更新情報削除手段を更に備える、
請求項１から４のいずれかに記載の更新部分再掲載装置。
【請求項６】
Ｗｅｂサーバと閲覧端末とに通信可能に接続される更新部分再掲載装置が、前記Ｗｅｂサーバが管理する複数のＷｅｂページの更新部分を収集して再掲載ページに再掲載する更新部分再掲載方法であって、
コメントまたは投稿メッセージが掲載され、かつ、閲覧端末のユーザによって指定されたＷｅｂページのうち、逐次更新される前記コメントまたは投稿メッセージをその更新時間に基づいて配列して構成するそれぞれの更新部分と、当該更新部分の更新時間とを更新情報として前記Ｗｅｂサーバから逐次収集し、当該更新情報を前記更新部分再掲載装置が備える更新情報記憶手段に記憶させる更新情報収集ステップと、
所定の再掲載条件に基づいて前記更新情報記憶手段から前記更新情報を逐次抽出し、当該更新情報に含まれる前記更新時間に基づいて、当該更新情報に含まれる前記更新部分の再掲載順序を決定する再掲載順序決定ステップと、
前記再掲載順序決定ステップにおいて抽出した前記更新情報に含まれる前記更新部分を、前記決定した再掲載順序で一のＷｅｂページに配列して集約することにより、当該更新部分が当該再掲載順序で再掲載された再掲載ページを逐次作成する再掲載ページ作成ステップと、
前記再掲載ページ作成ステップにおいて作成された前記再掲載ページを前記閲覧端末に逐次送信する送信ステップと、を含み、
前記更新情報収集ステップは、前記更新時間を前記更新部分の文字列を解析することで取得し、前記更新時間を前記更新部分から取得できなかった場合に、当該更新部分を収集した時間を前記更新時間とする、
更新部分再掲載方法。
【発明の詳細な説明】
【技術分野】
【０００１】
本発明は、更新部分再掲載装置及び更新部分再掲載方法に関する。
【背景技術】
【０００２】
従来、インターネット等のネットワーク上に掲載されているＷｅｂページの数が多くなっている。更に、これらのＷｅｂページは一度作成された後、更新される場合も多い。このため、例えば、複数のＷｅｂページの情報に興味を持つユーザは、複数のＷｅｂページそれぞれを閲覧して、これら複数のＷｅｂページに掲載されている情報が更新されているか否かを確認する必要がある。
【０００３】
しかしながら、複数のＷｅｂページそれぞれを閲覧して、Ｗｅｂページに掲載されている情報が更新されているか否かを確認することは、ユーザにとって煩雑な作業となる。そこで、ユーザに対して複数のＷｅｂページの情報が更新されたことを通知する方法が提案されている。例えば、特許文献１には、複数のページデータを取得して、複数のページデータそれぞれの取得状況や取得データが変化したことに基づいて、これらのページデータの更新を検知し、検知した旨をユーザに通知する技術が提案されている。
【先行技術文献】
【特許文献】
【０００４】
【特許文献１】特開２００４−１９９５９５号公報
【発明の概要】
【発明が解決しようとする課題】
【０００５】
しかしながら、特許文献１で提案されている技術では、複数のＷｅｂページが更新されたことを通知するに過ぎない。したがって、特許文献１で提案されている技術では、これらの複数のＷｅｂページの更新内容を確認するためには、ユーザはそれぞれのＷｅｂページを個別に確認する必要がある。そこで、複数のＷｅｂページの更新された部分を一度に確認することができるＷｅｂページを提供する技術が求められている。
【０００６】
本発明は、複数のＷｅｂページの更新された部分について、ユーザが一度に確認可能なページを作成して提供することができる更新部分再掲載装置及び更新部分再掲載方法を提供することを目的とする。
【課題を解決するための手段】
【０００７】
（１）Ｗｅｂサーバと閲覧端末とに通信可能に接続され、前記Ｗｅｂサーバが管理する複数のＷｅｂページの更新部分を収集して再掲載する再掲載ページを作成する更新部分再掲載装置であって、Ｗｅｂページのうち、逐次更新される内容をその更新時間に基づいて配列して構成する更新部分と、当該更新部分の更新時間とを関連付けて更新情報として記憶する更新情報記憶手段と、前記Ｗｅｂサーバから前記複数のＷｅｂページそれぞれの更新部分と、当該更新部分の更新時間とを更新情報として逐次収集し、当該更新情報を前記更新情報記憶手段に記憶させる更新情報収集手段と、所定の再掲載条件に基づいて前記更新情報記憶手段から前記更新情報を逐次抽出し、当該更新情報に含まれる前記更新時間に基づいて、当該更新情報に含まれる前記更新部分の再掲載順序を決定する再掲載順序決定手段と、前記再掲載順序決定手段が抽出した前記更新情報に含まれる前記更新部分を前記決定した再掲載順序で一のＷｅｂページに配列して集約することにより、当該更新部分が当該再掲載順序で再掲載された再掲載ページを逐次作成する再掲載ページ作成手段と、前記再掲載ページ作成手段により作成された前記再掲載ページを前記閲覧端末に逐次送信する送信手段と、を備える更新部分再掲載装置。
【０００８】
（１）の更新部分再掲載装置は、更新情報収集手段により、Ｗｅｂサーバから複数のＷｅｂページそれぞれの逐次更新される内容をその更新時間に基づいて配列して構成する更新部分と、当該更新部分の更新時間とを更新情報として逐次収集し、当該更新情報を前記更新情報記憶手段に記憶させる。そして、（１）の更新部分再掲載装置は、再掲載順序決定手段により、所定の再掲載条件に基づいて更新情報記憶手段から更新情報を逐次抽出し、当該更新情報に含まれる更新時間に基づいて、当該更新情報に含まれる更新部分の再掲載順序を決定する。そして、（１）の更新部分再掲載装置は、再掲載ページ作成手段により、再掲載順序決定手段が抽出した更新情報に含まれる更新部分を前記決定した再掲載順序で一のＷｅｂページに集約することにより、当該更新部分が当該再掲載順序で再掲載された再掲載ページを逐次作成し、送信手段により、再掲載ページ作成手段により作成された再掲載ページを閲覧端末に逐次送信する。
【０００９】
よって、（１）の更新部分再掲載装置は、複数のＷｅｂページの更新された部分について、ユーザが一度に確認可能なページを作成することができる。また、（１）の更新部分再掲載装置は、当該ページを閲覧端末に送信するので、閲覧端末のユーザは、複数のＷｅｂページの更新された部分について、一度に確認することができる。
【００１０】
また、更新情報を収集する対象のＷｅｂページとして、例えば、ユーザからの投稿メッセージを掲載する掲示板や、Ｗｅｂページに掲載したコンテンツに対するユーザからのコメントの投稿を掲載するコンテンツページ等に適用することによって、更新部分再掲載装置は、これらユーザからの投稿メッセージ部分やコンテンツページに投稿されたコメント部分を更新部分として収集して、再掲載ページにまとめて、閲覧端末に送信することができる。よって、更新部分再掲載装置は、これら掲示板やコンテンツページに掲載された投稿メッセージやコメントをまとめて閲覧したいユーザに対して、これら掲示板やコンテンツページに掲載された新たな投稿メッセージやコメントを一のページで時系列に把握させて、煩雑な作業をさせることなく閲覧させることができる。
【００１１】
（２）前記更新情報収集手段は、前記更新部分の前記更新時間を前記Ｗｅｂサーバから収集できなかった場合に、当該更新部分を収集した時間を前記更新時間とする、（１）に記載の更新部分再掲載装置。
【００１２】
このようにすることで、（２）の更新部分再掲載装置は、更新部分の更新時間を掲載していないＷｅｂページについても、更新部分の更新時間を決定することができる。
【００１３】
（３）前記閲覧端末から、前記再掲載ページに再掲載させる対象とするＷｅｂページの指定を受け付けて前記所定の再掲載条件として設定する対象ページ指定受付手段を更に備える、（１）又は（２）のいずれかに記載の更新部分再掲載装置。
【００１４】
このようにすることで、（３）の更新部分再掲載装置は、閲覧端末のユーザが必要とするＷｅｂページのみについて更新部分をまとめて、閲覧端末に提供することができる。
【００１５】
（４）前記更新情報収集手段は、前記複数のＷｅｂページそれぞれに含まれているタグ情報に基づいて、前記複数のＷｅｂページのそれぞれの更新部分を特定する、（１）から（３）のいずれかに記載の更新部分再掲載装置。
【００１６】
このようにすることで、（４）の更新部分再掲載装置は、Ｗｅｂページの更新部分として必要な情報のみを前記Ｗｅｂサーバから収集することができる。
【００１７】
（５）前記更新情報記憶手段に記憶されてから所定時間が経過した更新情報を前記更新情報記憶手段から削除する更新情報削除手段を更に備える、（１）から（４）のいずれかに記載の更新部分再掲載装置。
【００１８】
このようにすることで、（５）の更新部分再掲載装置は、相対的に新しい更新部分のみを再掲載ページに掲載させることができる。
【００１９】
（６）Ｗｅｂサーバと閲覧端末とに通信可能に接続される更新部分再掲載装置が、前記Ｗｅｂサーバが管理する複数のＷｅｂページの更新部分を収集して再掲載ページに再掲載する更新部分再掲載方法であって、前記Ｗｅｂサーバから前記複数のＷｅｂページのうち、逐次更新される内容をその更新時間に基づいて配列して構成するそれぞれの更新部分と、当該更新部分の更新時間とを更新情報として逐次収集し、当該更新情報を前記更新部分再掲載装置が備える更新情報記憶手段に記憶させる更新情報収集ステップと、所定の再掲載条件に基づいて前記更新情報記憶手段から前記更新情報を逐次抽出し、当該更新情報に含まれる前記更新時間に基づいて、当該更新情報に含まれる前記更新部分の再掲載順序を決定する再掲載順序決定ステップと、前記再掲載順序決定ステップにおいて抽出した前記更新情報に含まれる前記更新部分を、前記決定した再掲載順序で一のＷｅｂページに配列して集約することにより、当該更新部分が当該再掲載順序で再掲載された再掲載ページを逐次作成する再掲載ページ作成ステップと、前記再掲載ページ作成ステップにおいて作成された前記再掲載ページを前記閲覧端末に逐次送信する送信ステップと、を含む更新部分再掲載方法。
【００２０】
このような方法によれば、当該方法を実施することにより、（１）と同様の効果が期待できる。
【発明の効果】
【００２１】
本発明によれば、複数のＷｅｂページの更新された部分について、一度に確認可能なページを作成することができる更新部分再掲載装置及び更新部分再掲載方法を提供することができる。
【図面の簡単な説明】
【００２２】
【図１】本実施形態に係る更新部分再掲載装置の機能概要を示す図である。
【図２】本実施形態に係る更新情報ＤＢを示す図である。
【図３】本実施形態に係る再掲載条件ＤＢを示す図である。
【図４】本実施形態に係る更新部分再掲載装置において、閲覧端末に再掲載ページを送信する処理の流れを示すフローチャートである。
【図５】本実施形態に係るＷｅｂページの複数のＷｅｂページの一例を示す図である。
【図６】図５に示すＷｅｂページが更新された例を示す図である。
【図７】本実施形態に係る再掲載ページの一例を示す図である。
【図８】図６に示すＷｅｂページが更新された例を示す図である。
【図９】本実施形態に係る再掲載ページの一例を示す図である。
【発明を実施するための形態】
【００２３】
以下、本発明の実施形態について図を参照しながら説明する。
【００２４】
［機能構成］
図１は、本実施形態に係る更新部分再掲載装置１の機能概要を示す図である。更新部分再掲載装置１は、Ｗｅｂサーバ２と閲覧端末３とにＬＡＮ（Ｌｏｃａｌ  Ａｒｅａ  Ｎｅｔｗｏｒｋ）等により構成される通信ネットワークを介して通信可能に接続されている。この更新部分再掲載装置１は、Ｗｅｂサーバ２が管理する複数のＷｅｂページの更新部分を収集して再掲載する再掲載ページを作成するサーバである。なお、図１では、Ｗｅｂサーバ２及び閲覧端末３をそれぞれ１つずつ表示しているが、Ｗｅｂサーバ２及び閲覧端末３は、それぞれ複数存在するものとする。
【００２５】
本実施形態は、コンピュータ（更新部分再掲載装置１）及びその周辺装置に適用される。本実施形態における各部は、コンピュータ及びその周辺装置が備えるハードウェア並びに当該ハードウェアを制御するソフトウェアによって構成される。
【００２６】
上記ハードウェアには、制御部としてのＣＰＵ（Ｃｅｎｔｒａｌ  Ｐｒｏｃｅｓｓｉｎｇ  Ｕｎｉｔ）の他、記憶部、通信装置、表示装置及び入力装置が含まれる。記憶部としては、例えば、メモリ（ＲＡＭ：Ｒａｎｄｏｍ  Ａｃｃｅｓｓ  Ｍｅｍｏｒｙ、ＲＯＭ：Ｒｅａｄ  Ｏｎｌｙ  Ｍｅｍｏｒｙ等）、ハードディスクドライブ（ＨＤＤ：Ｈａｒｄ  Ｄｉｓｋ  Ｄｒｉｖｅ）及び光ディスク（ＣＤ：Ｃｏｍｐａｃｔ  Ｄｉｓｋ、ＤＶＤ：Ｄｉｇｉｔａｌ  Ｖｅｒｓａｔｉｌｅ  Ｄｉｓｋ等）ドライブが挙げられる。通信装置としては、例えば、各種有線及び無線インターフェース装置が挙げられる。表示装置としては、例えば、液晶ディスプレイやプラズマディスプレイ等の各種ディスプレイが挙げられる。入力装置としては、例えば、キーボード及びポインティング・デバイス（マウス、トラッキングボール等）が挙げられる。
【００２７】
上記ソフトウェアには、上記ハードウェアを制御するコンピュータ・プログラムやデータが含まれる。コンピュータ・プログラムやデータは、記憶部に記憶され、制御部により適宜実行、参照される。また、コンピュータ・プログラムやデータは、通信ネットワークを介して配布されることも可能であり、ＣＤ−ＲＯＭ等のコンピュータ可読媒体に記録して配布されることも可能である。
【００２８】
更新部分再掲載装置１は、操作者から直接的な入力を受け付ける操作部１１と、この更新部分再掲載装置１の機能に関する情報を表示する表示部１２と、更新部分再掲載装置１の機能を実行するプログラム（図示省略）等を記憶する記憶部１３と、更新部分再掲載装置１に係る各機能を統括的に制御する制御部１４と、を備える。
【００２９】
操作部１１は、例えば、キーボード及びポインティング・デバイス（マウス、トラッキングボール等）により実装される。
表示部１２は、例えば、液晶ディスプレイやプラズマディスプレイ等の各種ディスプレイにより実装される。
【００３０】
記憶部１３は、上述の各種プログラムの他に、更新情報記憶手段としての更新情報ＤＢ１３１と、再掲載条件ＤＢ１３２と、を備える。
【００３１】
制御部１４は、更新情報収集手段としての更新情報収集部１４１と、対象ページ指定受付手段としての対象ページ指定受付部１４２と、ページ取得要求受付部１４３と、再掲載順序決定手段としての再掲載順序決定部１４４と、再掲載ページ作成手段としての再掲載ページ作成部１４５と、送信手段としての再掲載ページ送信部１４６と、更新情報削除手段としての更新情報削除部１４７と、を備える。
【００３２】
更新情報収集部１４１は、Ｗｅｂサーバ２から複数のＷｅｂページそれぞれの更新部分と、当該更新部分の更新時間とを更新情報として逐次収集し、当該更新情報を更新情報ＤＢ１３１に記憶させる。
ここで、Ｗｅｂページの更新部分は、Ｗｅｂページのうち、逐次更新される内容をその更新時間に基づいて配列して構成する部分である。すなわち、Ｗｅｂページの更新部分は、Ｗｅｂページのうち、ＪａｖａＳｃｒｉｐｔ（登録商標）やＦｌａｓｈ（登録商標）等の動画像技術により自動的に更新表示される部分（例えば、Ｔｗｉｔｔｅｒ（登録商標）のタイムライン表示部分）である。なお、Ｗｅｂページの更新部分は、上述のような動画像技術を用いずに逐次当該部分が更新されるＷｅｂページも含まれる。
【００３３】
更新情報収集部１４１は、逐次（例えば、１分おき）、Ｗｅｂサーバ２から複数のＷｅｂページを取得し、複数のＷｅｂページのそれぞれについて、直前（例えば、１分前）に取得され、同一のＵＲＬ（Ｕｎｉｆｏｒｍ  Ｒｅｓｏｕｒｃｅ  Ｌｏｃａｔｏｒ）を有するＷｅｂページとの比較を行うことによって、更新部分を取得する。なお、更新情報収集部１４１は、取得されたページを、例えば、記憶部１３に一時的に記憶することにより、新たに取得したＷｅｂページと直前に取得されたＷｅｂページとの比較を行う。
【００３４】
なお、更新情報収集部１４１は、複数のＷｅｂページそれぞれに含まれているタグ情報に基づいて、複数のＷｅｂページのそれぞれの更新部分を特定するようにしてもよい。例えば、更新情報収集部１４１は、Ｗｅｂページについて、「ｃｏｍｍｅｎｔ」を含むタグから所定の範囲内で比較等してもよい。
【００３５】
また、更新情報収集部１４１は、例えば、更新部分に含まれる文字列を解析し、更新部分の更新時間を取得したＷｅｂページから収集する。なお、更新情報収集部１４１は、更新部分を取得した場合に、更新部分の更新時間をＷｅｂサーバ２から収集できなかったとき、当該更新部分を収集した時間を更新時間とする。
【００３６】
そして、更新情報収集部１４１は、Ｗｅｂページの収集した更新部分と、更新時間とを更新情報として、更新情報ＤＢ１３１に記憶させる。
【００３７】
図２は、本実施形態に係る更新情報ＤＢ１３１を示す図である。更新情報ＤＢ１３１は、ＷｅｂページのＵＲＬを示すＷｅｂページアドレスと、Ｗｅｂページの更新部分と、当該更新部分の更新時間とを関連付けて更新情報として記憶する。
【００３８】
更新情報収集部１４１の具体的な処理について、図を参照しながら説明する。図５（１）、（２）及び（３）は、それぞれ、Ｗｅｂサーバ２の複数のＷｅｂページＰ１、Ｐ２及びＰ３を示す図である。図６（１）、（２）及び（３）は、それぞれ、複数のＷｅｂページＰ１、Ｐ２及びＰ３が、１分間でそれぞれ更新され、それぞれ、ＷｅｂページＰ１１、Ｐ１２及びＰ１３となった例を示す図である。
【００３９】
更新情報収集部１４１が、図５（１）、（２）及び（３）にそれぞれ示すＷｅｂページＰ１、Ｐ２及びＰ３をそれぞれ取得し、その１分後に、図６（１）、（２）及び（３）にそれぞれ示されるＷｅｂページＰ１１、Ｐ１２及びＰ１３をそれぞれ取得した場合、更新情報収集部１４１は、更新部分として、ページ要素Ｐ１１１、Ｐ１１２及びＰ１１３を更新情報として抽出し、更新情報ＤＢ１３１に記憶させる。ここで、図２に示す更新情報ＤＢ１３１には、図６（１）、（２）及び（３）にそれぞれ対応するページ要素Ｐ１１１、Ｐ１１２及びＰ１１３が、更新情報として記憶されているものとする。
【００４０】
図１に説明を戻す。対象ページ指定受付部１４２は、閲覧端末３から、再掲載ページに再掲載させる対象とするＷｅｂページの指定を受け付ける。また、対象ページ指定受付部１４２は、例えばＣｏｏｋｉｅ等により、閲覧端末３の識別情報を取得する。続いて、対象ページ指定受付部１４２は、当該Ｗｅｂページの指定を受け付けたことに応じて、当該指定されたＷｅｂページと、閲覧端末３の識別情報とを関連付けて所定の再掲載条件として再掲載条件ＤＢ１３２に記憶させる。このようにすることで、対象ページ指定受付部１４２は、当該指定されたＷｅｂページを所定の再掲載条件に設定する。
【００４１】
図３は、本実施形態に係る再掲載条件ＤＢ１３２を示す図である。再掲載条件ＤＢ１３２は、閲覧端末３の識別情報と、ＷｅｂページのＵＲＬを示すＷｅｂページアドレスとを関連付けて再掲載条件として記憶する。
【００４２】
図１に説明を戻す。ページ取得要求受付部１４３は、閲覧端末３から再掲載ページの取得要求を受け付ける。また、ページ取得要求受付部１４３は、閲覧端末３から、例えばＣｏｏｋｉｅ等によって、閲覧端末３の識別情報を取得する。
【００４３】
再掲載順序決定部１４４は、ページ取得要求受付部１４３により再掲載ページの取得要求を受け付けたことに応じて、ページ取得要求受付部１４３により取得された閲覧端末３の識別情報に対応する再掲載条件（所定の再掲載条件）を再掲載条件ＤＢ１３２から抽出する。
【００４４】
続いて、再掲載順序決定部１４４は、再掲載条件ＤＢ１３２から抽出した所定の再掲載条件に基づいて、更新情報ＤＢ１３１から更新情報を逐次抽出する。具体的には、再掲載順序決定部１４４は、再掲載条件ＤＢ１３２から抽出した所定の再掲載条件に含まれるＷｅｂページアドレスを含む更新情報を更新情報ＤＢ１３１から抽出する。なお、再掲載順序決定部１４４は、ページ取得要求受付部１４３により閲覧端末３の識別情報を取得できなかった場合、再掲載条件ＤＢ１３２を参照せずに、更新情報ＤＢ１３１から更新情報を逐次抽出する。
【００４５】
続いて、再掲載順序決定部１４４は、更新情報ＤＢ１３１から逐次抽出した更新情報に含まれる更新時間に基づいて、当該更新情報に含まれる更新部分の再掲載順序を決定する。なお、本実施形態では、更新時間の古い更新部分から昇順に並び替えを行うものとするが、これに限らず、更新時間の新しい更新部分から降順に並び替えを行うものとしてもよい。
【００４６】
例えば、更新情報が、図２に示されている更新情報のみ記憶され、再掲載条件において、閲覧するＷｅｂページが指定されていない場合、再掲載順序決定部１４４は、更新情報ＤＢ１３１から、４件の更新情報を取得する。そして、再掲載順序決定部１４４は、更新情報に含まれる更新時間に基づいて再掲載順序を「コメント１−１」、「コメント３−１」、「コメント３−２」、「コメント２−１」の順に決定する。
【００４７】
図１に説明を戻す。再掲載ページ作成部１４５は、再掲載順序決定部１４４が抽出した更新情報に含まれる更新部分を、再掲載順序決定部１４４が決定した再掲載順序で一のＷｅｂページに配列して集約することにより、当該更新部分が当該再掲載順序で再掲載された再掲載ページを逐次作成する。
【００４８】
なお、再掲載ページ作成部１４５は、再掲載順序決定部１４４が抽出した更新情報から、更新部分に対応するＷｅｂページを特定し、当該Ｗｅｂページから、更新部分と異なる情報（例えば、タイトルや記事の標題等）を抽出して、更新部分に対応付けて再掲載させてもよい。また、再掲載ページ作成部１４５は、当該Ｗｅｂページへのリンクを更新部分に対応付けて再掲載させてもよい。また、再掲載ページ作成部１４５は、再掲載ページに、閲覧端末３が自動的に更新部分再掲載装置１に再掲載ページを取得するように、スクリプトを埋め込むようにしてもよい。
【００４９】
例えば、更新情報が、図２に示される更新情報のみ記憶され、再掲載条件において、閲覧するＷｅｂページが指定されていない場合、再掲載順序決定部１４４により、更新部分の再掲載順序が、「コメント１−１」、「コメント３−１」、「コメント３−２」、「コメント２−１」の順に決定される。そして、再掲載ページ作成部１４５は、図７に示す再掲載ページＰ５１を作成する。図７では、再掲載ページＰ５１に、再掲載された更新部分の集合Ｐ５１１が表示されており、図２に示される更新部分が時系列に配列されていることが確認できる。
【００５０】
なお、図６（１）、（２）及び（３）にそれぞれ示されるＷｅｂページＰ１１、Ｐ１２及びＰ１３が、１分間でそれぞれ更新され、図８（１）、（２）及び（３）にそれぞれ示されるＷｅｂページＰ２１、Ｐ２２及びＰ２３になった場合、再掲載ページ作成部１４５は、図９に示す再掲載ページＰ６１を作成する。
【００５１】
すなわち、更新情報収集部１４１により、新たな更新部分として、ページ要素Ｐ２１１、Ｐ２１２及びＰ２１３が収集され、更新情報ＤＢ１３１に記憶される。その後、ページ取得要求受付部１４３によって、閲覧端末３から再掲載ページの取得要求を受け付けた場合、再掲載順序決定部１４４によって、更新情報ＤＢ１３１から更新情報が抽出され、当該更新情報に含まれる更新部分の再掲載順序が決定される。ここでは、更新部分の再掲載順序が、「コメント１−１」、「コメント３−１」、「コメント３−２」、「コメント２−１」、「コメント２−２」、「コメント１−２」、「コメント１−３」、「コメント３−３」の順に決定される。そして、再掲載ページ作成部１４５によって、図９に示す再掲載ページＰ６１が作成される。図９では、再掲載ページＰ６１に、再掲載された更新部分の集合Ｐ６１１が表示されており、抽出された更新部分が時系列に配列されていることが確認できる。
【００５２】
図１に説明を戻す。再掲載ページ送信部１４６は、再掲載ページ作成部１４５により作成された再掲載ページを、ページ取得要求受付部１４３により要求を受け付けた閲覧端末３に逐次送信する。
【００５３】
更新情報削除部１４７は、更新情報ＤＢ１３１に記憶されてから所定時間（例えば、３時間）が経過した更新情報を更新情報ＤＢ１３１から削除する。
【００５４】
［フローチャート］
続いて、更新部分再掲載装置１における処理の流れについて説明する。
図４は、本実施形態に係る更新部分再掲載装置１において、閲覧端末３に再掲載ページを送信する処理の流れを示すフローチャートである。
【００５５】
ステップＳ１において、制御部１４（更新情報収集部１４１）は、更新情報収集部１４１により、更新部分を取得する処理を行ってから１分経過したか否かを判定する。制御部１４（更新情報収集部１４１）は、この判定がＹＥＳの場合、処理をステップＳ２に移し、この判定がＮＯの場合、処理をステップＳ４に移す。
【００５６】
ステップＳ２において、制御部１４（更新情報収集部１４１）は、Ｗｅｂサーバ２から複数のＷｅｂページそれぞれの更新部分と、当該更新部分の更新時間とを更新情報として収集する。
【００５７】
ステップＳ３において、制御部１４（更新情報収集部１４１）は、ステップＳ２において収集した更新情報を更新情報ＤＢ１３１に記憶させる。
【００５８】
ステップＳ４において、制御部１４（ページ取得要求受付部１４３）は、閲覧端末３から再掲載ページの取得要求を受け付けたか否かを判定する。制御部１４（ページ取得要求受付部１４３）は、この判定がＹＥＳの場合、処理をステップＳ５に移し、この判定がＮＯの場合、処理をステップＳ９に移す。
【００５９】
ステップＳ５において、制御部１４（再掲載順序決定部１４４）は、ステップＳ４において、再掲載ページの取得要求を受け付けたことに応じて、所定の再掲載条件に基づいて、更新情報ＤＢ１３１から更新情報を抽出する。
【００６０】
ステップＳ６において、制御部１４（再掲載順序決定部１４４）は、更新情報ＤＢ１３１から抽出した更新情報に含まれる更新時間に基づいて、当該更新情報に含まれる更新部分の再掲載順序を決定する。
【００６１】
ステップＳ７において、制御部１４（再掲載ページ作成部１４５）は、ステップＳ６において決定した再掲載順序に基づいて、ステップＳ５において抽出された更新情報に含まれる更新部分を一のＷｅｂページに配列して集約することにより、当該更新部分が当該再掲載順序で再掲載された再掲載ページを作成する。
【００６２】
また、制御部１４（再掲載ページ作成部１４５）は、再掲載順序決定部１４４が抽出した更新情報から、更新部分に対応するＷｅｂページを特定し、当該Ｗｅｂページから、更新部分とは異なる情報を抽出して、更新部分に対応付けて再掲載させる。また、再掲載ページ作成部１４５は、当該Ｗｅｂページへのリンクを更新部分に対応付けて再掲載させる。
【００６３】
ステップＳ８において、制御部１４（再掲載ページ送信部１４６）は、ステップＳ７において作成された再掲載ページを、再掲載ページの取得要求を行った閲覧端末３に送信する。
【００６４】
ステップＳ９において、制御部１４（更新情報削除部１４７）は、更新情報ＤＢ１３１に記憶されてから所定時間（例えば、３時間）が経過した更新情報を更新情報ＤＢ１３１から削除する。
【００６５】
ステップＳ１０において、制御部１４は、操作部１１を介して終了操作が行われたか否かを判定する。制御部１４は、この判定がＹＥＳの場合、本フローチャートに係る処理を終了し、この判定がＮＯの場合、処理をステップＳ１に移す。
【００６６】
以上、本実施形態によれば、更新部分再掲載装置１は、更新情報収集部１４１により、Ｗｅｂサーバ２から複数のＷｅｂページそれぞれの逐次更新される内容をその更新時間に基づいて配列して構成する更新部分と、当該更新部分の更新時間とを更新情報として逐次収集し、当該更新情報を更新情報ＤＢ１３１に記憶させる。そして、更新部分再掲載装置１は、再掲載順序決定部１４４により、所定の再掲載条件に基づいて更新情報ＤＢ１３１から更新情報を逐次抽出し、当該更新情報に含まれる更新時間に基づいて、当該更新情報に含まれる更新部分の再掲載順序を決定する。そして、更新部分再掲載装置１は、再掲載ページ作成部１４５により、再掲載順序決定部１４４が抽出した更新情報に含まれる更新部分を決定した再掲載順序で一のＷｅｂページに集約することにより、当該更新部分が当該再掲載順序で再掲載された再掲載ページを逐次作成し、再掲載ページ送信部１４６により、再掲載ページ作成部１４５により作成された再掲載ページを閲覧端末３に送信する。
【００６７】
よって、更新部分再掲載装置１は、複数のＷｅｂページの更新された部分について、ユーザが一度に確認可能なページを作成することができる。また、更新部分再掲載装置１は、当該ページを閲覧端末３に送信するので、閲覧端末３のユーザは、複数のＷｅｂページの更新された部分について、一度に確認することができる。
【００６８】
また、更新情報を収集する対象のＷｅｂページとして、例えば、ユーザからの投稿メッセージを掲載する掲示板や、Ｗｅｂページに掲載したコンテンツに対するユーザからのコメントの投稿を掲載するコンテンツページ等に適用することによって、更新部分再掲載装置１は、これらユーザからの投稿メッセージ部分やコンテンツページに投稿されたコメント部分を更新部分として収集して、再掲載ページにまとめて、閲覧端末３に送信することができる。よって、更新部分再掲載装置１は、これら掲示板やコンテンツページに掲載された投稿メッセージやコメントをまとめて閲覧したいユーザに対して、これら掲示板やコンテンツページに掲載された新たな投稿メッセージやコメントを一のページで時系列に把握させて、煩雑な作業をさせることなく閲覧させることができる。
【００６９】
また、更新部分再掲載装置１は、再掲載ページ作成部１４５により、再掲載順序決定部１４４が抽出した更新部分を決定した再掲載順序で一のＷｅｂページに配列して集約する。このようにすることで、更新部分再掲載装置１は、一のＷｅｂページに、更新部分を時系列で配置することができる。よって、閲覧端末３のユーザは、更新部分を時系列に把握することができる。
【００７０】
また、更新部分再掲載装置１は、更新情報収集部１４１により、更新部分の更新時間をＷｅｂサーバ２から収集できなかった場合に、当該更新部分を収集した時間を更新時間とする。このようにすることで、更新部分再掲載装置１は、更新部分の更新時間を掲載していないＷｅｂページについても、更新部分の更新時間を決定することができる。
【００７１】
また、更新部分再掲載装置１は、対象ページ指定受付部１４２により、閲覧端末３から、再掲載ページに再掲載させる対象とするＷｅｂページの指定を受け付けて所定の再掲載条件として設定する。このようにすることで、更新部分再掲載装置１は、当該再掲載条件に基づいて、閲覧端末３のユーザが必要とするＷｅｂページのみについて更新部分をまとめて、閲覧端末３に提供することができる。
【００７２】
また、更新部分再掲載装置１は、更新情報収集部１４１により、複数のＷｅｂページそれぞれに含まれているタグ情報に基づいて、複数のＷｅｂページのそれぞれの更新部分を特定する。このようにすることで、更新部分再掲載装置１は、Ｗｅｂページの更新部分として必要な情報のみをＷｅｂサーバ２から収集することができる。
【００７３】
また、更新部分再掲載装置１は、更新情報削除部１４７により、更新情報ＤＢ１３１に記憶されてから所定時間が経過した更新情報を更新情報ＤＢ１３１から削除する。このようにすることで、更新部分再掲載装置１は、相対的に新しい更新部分のみを再掲載ページに掲載させることができる。
【００７４】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７５】
本実施形態では、更新部分再掲載装置１というコンピュータを例にとって説明したが、本発明はコンピュータに限られるものではなく、コンピュータが各種機能を実行する方法、コンピュータに各種機能を実行させるためのプログラム及びこのプログラムを記憶した記憶媒体にも適用可能である。
【符号の説明】
【００７６】
１  更新部分再掲載装置
２  Ｗｅｂサーバ
３  閲覧端末
１１  操作部
１２  表示部
１３  記憶部
１４  制御部
１３１  更新情報ＤＢ
１３２  再掲載条件ＤＢ
１４１  更新情報収集部
１４２  対象ページ指定受付部
１４３  ページ取得要求受付部
１４４  再掲載順序決定部
１４５  再掲載ページ作成部
１４６  再掲載ページ送信部
１４７  更新情報削除部
【図１】
0005183762.tif 000002
【図２】
0005183762.tif 000003
【図３】
0005183762.tif 000004
【図４】
0005183762.tif 000005
【図５】
0005183762.tif 000006
【図６】
0005183762.tif 000007
【図７】
0005183762.tif 000008
【図８】
0005183762.tif 000009
【図９】
0005183762.tif 000010